(57)【要約】【課題】比較的簡易な作業で原稿読取筐体部の開角度を調整できるようにすること。【解決手段】記録部２０と、記録部２０開閉自在に取付けられた原稿読取筐体部３２と、記録部２０に設けられたロックピン部材７２と、原稿読取筐体部３２に設けられたピン移動規制部材７４とを有する開度規制部材７０とを備える。ピン移動規制部材７４に、ロックピン部材７２が移動可能な孔でかつその端部にロックピン部材７２を当接させることで原稿読取筐体部３２の開角度を第１の角度θ１に規制する第１のピン移動孔７６と、第１のピン移動孔７６から分岐すると共にロックピン部材７２が移動可能な孔でかつその端部にロックピン部材７２を当接させることで原稿読取筐体部３２の開角度を第１の角度θ１よりも大きな第２の角度θ２に規制する第２のピン移動孔７８とが形成されている。【選択図】図３
2008109564.tif 000002
【特許請求の範囲】
【請求項１】
本体部と、
前記本体部にヒンジ部を介して開閉自在に取付けられ、閉姿勢で前記本体部上方を覆うと共に開姿勢で前記本体部上方を開放する原稿読取筐体部と、
前記本体部及び前記原稿読取筐体部のいずれか一方に設けられたロックピン部材と、前記本体部及び前記原稿読取筐体部のいずれか他方に設けられたピン移動規制部材とを有する開度規制部材と、
を備え、
前記ピン移動規制部材に、前記ロックピン部材が移動可能な孔でかつその端部に前記ロックピン部材を当接させることで前記原稿読取筐体部の開角度を第１の角度に規制する第１のピン移動孔と、前記第１のピン移動孔から分岐すると共に前記ロックピン部材が移動可能な孔でかつその端部に前記ロックピン部材を当接させることで前記原稿読取筐体部の開角度を前記第１の角度よりも大きな第２の角度に規制する第２のピン移動孔とが形成されたことを特徴とする原稿読取装置。
【請求項２】
請求項１記載の原稿読取装置であって、
前記ロックピン部材が前記第１のピン移動孔に沿って移動するように、前記ピン移動規制部材及び前記ロックピン部材の少なくとも一方が、重力により又は付勢部材により、付勢されていることを特徴とする原稿読取装置。
【請求項３】
請求項１又は請求項２記載の原稿読取装置であって、
前記第１のピン移動孔は前記第２のピン移動孔より幅広であることを特徴とする原稿読取装置。
【請求項４】
請求項１〜請求項３のいずれかに記載の原稿読取装置であって、
前記ロックピン部材又は前記ピン移動規制部材を前記ヒンジ部から遠ざかる方向に移動させることで、前記ロックピン部材は前記第１のピン移動孔から前記第２のピン移動孔に案内されることを特徴とする原稿読取装置。
【発明の詳細な説明】
【技術分野】
【０００１】
この発明は、原稿を読取る原稿読取筐体部を開閉自在に備えた画像読取装置に関する。
【背景技術】
【０００２】
従来、画像読取装置として、本体部上に原稿読取筐体部が開閉自在に配設されたものがある。
【０００３】
なお、複写機等の原稿圧着板に関して、その開閉角度を、係止部材を用いて規制する技術は特許文献１に開示されている。
【０００４】
【特許文献１】特開平８−２８６２８６号公報
【発明の開示】
【発明が解決しようとする課題】
【０００５】
ところで、上記のような画像読取装置では、消耗品の交換やメンテナンス時等に原稿読取筐体部を開く必要が生じる。
【０００６】
特に、メンテナンス性を向上させるためには、原稿読取筐体部を大きく開くことができるようにとの要請が強い。
【０００７】
一方、原稿読取筐体部の開閉度合を大きくすると、開閉操作性が大きく変動し好ましくない。特に、原稿読取筐体部に自動原稿搬送部や原稿押え部を開閉自在に配設したものにおいては、その自動原稿搬送部や原稿押え部を開いた状態で、さらに原稿読取筐体部を開いてしまうと、装置全体の重心が大きく外側に変動し、それにより装置の転倒等を引き起すことがあり、原稿読取筐体部の開閉度合を大きくすることはあまり好ましくないといえる。
【０００８】
そこで、原稿読取筐体部の開角度を調整可能な構成とすることが要請される。
【０００９】
ここで、特許文献１に開示の構成では、開閉度合を規制できるものの、係止部材を着脱する必要があるため、開閉度合を調整する度に、当該係止部材を着脱するのは面倒である。
【００１０】
そこで、本発明は、比較的簡易な作業で原稿読取筐体部の開角度を調整できるようにすることを目的とする。
【課題を解決するための手段】
【００１１】
上記課題を解決するため、この画像読取装置は、本体部と、前記本体部にヒンジ部を介して開閉自在に取付けられ、閉姿勢で前記本体部上方を覆うと共に開姿勢で前記本体部上方を開放する原稿読取筐体部と、前記本体部及び前記原稿読取筐体部のいずれか一方に設けられたロックピン部材と、前記本体部及び前記原稿読取筐体部のいずれか他方に設けられたピン移動規制部材とを有する開度規制部材とを備え、前記ピン移動規制部材に、前記ロックピン部材が移動可能な孔でかつその端部に前記ロックピン部材を当接させることで前記原稿読取筐体部の開角度を第１の角度に規制する第１のピン移動孔と、前記第１のピン移動孔から分岐すると共に前記ロックピン部材が移動可能な孔でかつその端部に前記ロックピン部材を当接させることで前記原稿読取筐体部の開角度を前記第１の角度よりも大きな第２の角度に規制する第２のピン移動孔とが形成されたものである。
【００１２】
この場合に、前記ロックピン部材が前記第１のピン移動孔に沿って移動するように、前記ピン移動規制部材及び前記ロックピン部材の少なくとも一方が、重力により又は付勢部材により、付勢されていてもよい。
【００１３】
また、前記第１のピン移動孔は前記第２のピン移動孔より幅広であってもよい。
【００１４】
さらに、前記ロックピン部材又は前記ピン移動規制部材を前記ヒンジ部から遠ざかる方向に移動させることで、前記ロックピン部材は前記第１のピン移動孔から前記第２のピン移動孔に案内されてもよい。
【発明の効果】
【００１５】
以上のように構成された原稿読取装置によると、ロックピン部材を第１のピン移動孔に沿って移動させることにより、原稿読取筐体部の開角度を第１の角度に規制できる。また、ロックピン部材を第２のピン移動孔に沿って移動させるように経路変更することにより、原稿読取筐体部の開角度を第２の角度に規制できる。これらの開角度の変更は、ロックピン部材の移動経路を変更することにより行える。したがって、比較的簡易な作業で原稿読取筐体部の開角度を調整できる。
【００１６】
また、前記ロックピン部材が前記第１のピン移動孔に沿って移動するように、前記ピン移動規制部材及び前記ロックピン部材の少なくとも一方が、重力により又は付勢部材により、付勢されていると、通常時には、原稿読取筐体部の開角度を比較的小さな角度に規制できる。一方、メンテナンス時等には、当該付勢力に抗してロックピン部材を第２のピン移動孔内に導くことにより、原稿読取筐体部の開角度を比較的大きな角度に規制できる。
【００１７】
さらに、前記第１のピン移動孔は前記第２のピン移動孔より幅広であると、通常時には、ロックピン部材は第１のピン移動孔に沿って移動し、第２のピン移動孔側に案内され難くなる。したがって、通常時には、原稿読取筐体部の開角度を比較的小さな角度に規制できるように誘導できる。
【００１８】
また、前記ロックピン部材又は前記ピン移動規制部材を前記ヒンジ部から遠ざかる方向に移動させることで、前記ロックピン部材は前記第１のピン移動孔から前記第２のピン移動孔に案内されると、誤操作等によって、意図せずに原稿読取筐体部の開角度が比較的大きな角度に変更されることを防止できる。
【発明を実施するための最良の形態】
【００１９】
以下、実施形態に係る画像読取装置について説明する。本実施形態では、画像読取装置をデジタル複合機に適用した例で説明する。
【００２０】
＜１．デジタル複合機の全体構成＞
まず、デジタル複合機の全体構成について説明する。図１は実施形態に係るデジタル複合機の全体構成を示す斜視図であり、図２は同デジタル複合機の原稿読取筐体部を開いた状態を示す斜視図である。
【００２１】
このデジタル複合機は、機能的には、大別して原稿読取部分と画像形成部分とを備えている。そして、これら各機能部分を適宜制御下で動作させることにより、ＦＡＸ機能、コピー機能、スキャン機能、プリント機能などの諸機能を実現する構成となっている。
【００２２】
より具体的には、このデジタル複合機１０では、画像形成機能を担う記録部２０の上方に画像読取機能を担う読取部３０が配設されている。
【００２３】
記録部２０は、画像形成、即ち、用紙に所定の印刷処理を施して記録紙を形成するように構成されている。より具体的には、記録部２０は、少なくとも一つの給紙カセット２１を有する給紙部２２の上方に、印刷装置としての印刷部２４が配設された構成となっている。そして、給紙カセット２１に収容される用紙を印刷部２４へ給紙して印刷した後に、記録紙として排出トレイ２６へ排出する構成となっている。なお、上記印刷部２４内には、各種印刷機構、印刷用のトナーや感光体ドラム等が内蔵されている。印刷部２４の上方からこれらトナーや感光体ドラムの交換、用紙詰りの解消等、当該印刷部２４に対するメンテナンス作業を実施できるようになっている。
【００２４】
この記録部２０は、デジタル複合機１０の全体中において、機構的な基礎土台となる本体部としての役割も有している。
【００２５】
読取部３０は、画像読取、即ち、原稿の情報を画像データとして読取るように構成されている。ここでは、読取部３０は、フラットベッド方式のスキャナとして原稿を読取ると共に、シートフィード方式のスキャナとして原稿を読取り可能に構成されている。
【００２６】
より具体的には、読取部３０は、記録部２０の上方に設けられた原稿読取筐体部３２の上方に、原稿搬送押え部４０が設けられた構成とされている。
【００２７】
原稿読取筐体部３２は、載置される又は搬送される原稿を読取るものであり、平面視略方形状である筐体部３３の上面にコンタクトガラス及びプラテンガラス（共に図示省略）が取付けられた構成とされている。また、筐体部３３内には、画像を読取るための要素としてキャリッジや受光部等が内蔵されている。
【００２８】
そして、上記プラテンガラスの上方に原稿を載置した状態で、当該原稿を画像データとして読取れるようになっている（フラットベッド方式のスキャン方式）。
【００２９】
また、原稿をコンタクトガラスに接触させるように搬送することで、当該搬送原稿を画像データとして読取れるようになっている（シートフィード方式のスキャン）。
【００３０】
また、原稿読取筐体部３２の前部には、操作パネル５０が設けられている。操作パネル５０には、各種スイッチ５２及び表示パネル５４が設けられている。各種スイッチ５２は、本デジタル複合機１０に対する諸操作を受付ける入力手段として機能する。表示パネル５４は、本デジタル複合機１０の動作状況、操作内容等を表示する表示手段として機能する。
【００３１】
この原稿読取筐体部３２は、上記本体部としての記録部２０にヒンジ部６０を介して所定の回動軸Ｌ回りに開閉自在に取付けられており、閉姿勢で記録部２０の上方を覆うと共に（図１参照）、開姿勢で上記記録部２０の上方を開放する（図２参照）ように構成されている。
【００３２】
このヒンジ部６０には、原稿読取筐体部３２を開方向に付勢する付勢部材６５が組込まれている。また、記録部２０と原稿読取筐体部３２との間には、原稿読取筐体部３２の開角度を第１の角度θ１（図２参照）と第２の角度θ２（但し、θ２＞θ１）とで調整自在に規制する開度規制部材７０が設けられている。
【００３３】
これにより、原稿読取筐体部３２は開方向に付勢されつつ、第１の角度θ１まで開くことができ、或は、それよりも大きな第２の角度θ２まで開くことができるようになっている。そして、記録部２０の上方を開放させた状態で、印刷部２４に対する上記したような各種メンテナンス作業が可能になる。
【００３４】
これらのヒンジ部６０、付勢部材６５及び開度規制部材７０については後で詳述する。
【００３５】
また、原稿搬送押え部４０は、原稿押え部４０ａと、自動原稿搬送装置４５（Auto Document Feeder：ＡＤＦ）とを有している。
【００３６】
原稿押え部４０ａは、扁平な形状に形成されており、その底面はプラテンガラスよりも大きな広がりを有するように形成されている。そして、原稿読取筐体部３２のプラテンガラス上の原稿を当該原稿押え面で一定位置に押える役割を果す。
【００３７】
また、自動原稿搬送装置４５は、原稿押え部４０ａの一側部に設けられており、原稿を原稿読取筐体部３２のコンタクトガラスに接触させるように順次搬送するように構成されている。
【００３８】
この原稿搬送押え部４０は、上記原稿読取筐体部３２の上部の一側部にヒンジ部を介して開閉自在に取付けられている。そして、原稿搬送押え部４０を開いた状態で、プラテンガラス上に対して原稿を載置及び除去可能になる。一方、原稿搬送押え部４０を閉じた状態で、プラテンガラス上の原稿を一定位置に押え、或は、コンタクトガラスに接触させるように原稿を搬送可能になる。
【００３９】
＜２．ヒンジ部、付勢部材及び開度規制部材について＞
図３は記録部と原稿読取筐体部との間のヒンジ部及び開度規制部材を示す斜視図である。
【００４０】
図２及び図３に示すように、ヒンジ部６０は、金属板を適宜打抜き屈曲加工等することで形成された部材であり、略「Ｕ」字形状を横長にしたような形状に形成されている。そして、その中間連結片６１の両端部の回転支持片６１ｐが記録部２０を構成するフレーム２０ｆにピン部材やねじ等の軸支部材６２を介して回転自在に支持されている。また、中間連結片６１の両端部に、当該中間連結片６１に略垂直姿勢で一対の固定片６３が延出している。この一対の固定片６３は、原稿読取筐体部３２の下面に前記回動軸Ｌ側の側縁部からその反対側に向けて延出する姿勢でネジ止等によって固定されている。これにより、原稿読取筐体部３２が記録部２０に対して開閉自在に支持される。
【００４１】
付勢部材６５は、前記回動軸Ｌ回りに設けられた２つのトーションバー６６を有している（図２参照）。各トーションバー６６は、略「Ｕ」字形状を横長にすると共にその両端部の付勢延出部６６ｂをねじれの位置関係になるように配設した構成とされている。そして、各トーションバー６６の中間部分６６ａを回動軸Ｌに沿って配設すると共に、その各両端部の付勢延出部６６ｂの一方を記録部２０のフレーム２０ｆに固定すると共に他方を原稿読取筐体部３２の下面に固定している。そして、トーションバー６６のねじれ状態への復元力によって、原稿読取筐体部３２を開方向に付勢している。
【００４２】
開度規制部材７０は、上記記録部２０に設けられたロックピン部材７２と、原稿読取筐体部３２に設けられたピン移動規制部材７４とを有している。
【００４３】
ロックピン部材７２は、ピン移動規制部材７４の第１のピン移動孔７６及び第２のピン移動孔７８に沿って移動する部材である。より具体的には、ロックピン部材７２は、ねじ部７２ａ及びねじ部７２ａに挿通されたワッシャ部７２ｂとを有している。そして、ねじ部７２ａが、ピン移動規制部材７４の第１のピン移動孔７６又は第２のピン移動孔７８に挿入された状態で、記録部２０を構成するフレーム２０ｆに締結固定される。これにより、ねじ部７２ａの軸部が第１のピン移動孔７６及び第２のピン移動孔７８内を移動可能になる。また、ワッシャ部７２ｂは、ピン移動規制部材７４とねじ部７２ａのねじ頭間に介在し、ねじ部７２ａの円滑な移動及びねじ部７２ａの弛緩防止を図る。
【００４４】
図４はピン移動規制部材を示す図である。図２〜図４に示すように、ピン移動規制部材７４は、第１のピン移動孔７６と第２のピン移動孔７８とを有し、それら第１のピン移動孔７６と第２のピン移動孔７８内で上記ロックピン部材７２を移動させることで、原稿読取筐体部３２の開角度を調整自在に規制する部材である。
【００４５】
より具体的には、ピン移動規制部材７４は、金属板や樹脂板等により形成される部材であり、一端部が長尺板状でかつ他端部が略三角板状に広がる板形状で、長尺全体形状を有している。このピン移動規制部材７４の一端部（図４の上方端部）は、原稿読取筐体部３２に固定されたヒンジ部６０の固定片６３先端部に、ねじ等の支軸部材７５を介して回転自在に固定されている。
【００４６】
また、ピン移動規制部材７４は、第１のピン移動孔７６と第２のピン移動孔７８とを有している。
【００４７】
第１のピン移動孔７６は、上記ロックピン部材７２が移動可能な孔でかつその端部にロックピン部材７２を当接させることで原稿読取筐体部３２の開角度を第１の角度θ１に規制するように構成されている。また、第２のピン移動孔７８は、当該第１のピン移動孔７６から分岐する孔であり、上記ロックピン部材７２が移動可能な孔でかつその端部にロックピン部材７２を当接させることで原稿読取筐体部３２の開角度を第２の角度θ２に規制するように構成されている。
【００４８】
より具体的には、第１のピン移動孔７６は、ピン移動規制部材７４の一端部から他端部に沿って直線状に延びる細長孔形状に形成されている。この第１のピン移動孔７６の幅寸法Ｈ１は、ねじ部７２ａのねじ軸の径よりも大きく形成されており、したがって、ねじ部７２ａのねじ軸、即ち、ロックピン部材７２は第１のピン移動孔７６に沿って移動可能である。
【００４９】
また、第１のピン移動孔７６のうち上記支軸部材７５より遠い側の端部（以下、規制端部７６ａという）は、支軸部材７５の中心軸に対して距離Ｌ１離れた位置に形成されている。この距離Ｌ１は、設定すべき第１の角度θ１やロックピン部材７２及びピン移動規制部材７４の取付位置等に応じて適宜設定される。そして、原稿読取筐体部３２を開く際、ロックピン部材７２が第１のピン移動孔７６に沿って移動すると、ロックピン部材７２のねじ部７２ａのねじ軸が規制端部７６ａに当接して（図４において一点鎖線で示す位置参照）、原稿読取筐体部３２の開角度が第１の角度θ１になり、原稿読取筐体部３２がそれ以上開くのを規制する。
【００５０】
また、第１のピン移動孔７６のうち前記規制端部７６ａより手前の部分には、第１のピン移動孔７６の幅寸法を部分的に狭める狭隘部７６ｃが形成されている。狭隘部７６ｃの幅寸法は、ねじ部７２ａのねじ軸が通過可能な範囲でなるべく小さくなるように設定されている。そして、ねじ部７２ａのねじ軸が狭隘部７６ｃを通過して規制端部７６ａに達した状態で、ねじ部７２ａのねじ軸が逆戻りし難くなるようになっている。これにより、強い力が加えられない限り、原稿読取筐体部３２を第１の角度θ１に開いた状態で、維持できるようになっている。
【００５１】
なお、第１のピン移動孔７６のうち上記支軸部材７５に近い側の端部（以下、支軸側端部７６ｂという）は、ロックピン部材７２が当該支軸側端部７６ｂに当接せず、原稿読取筐体部３２を完全に閉じることができる程度の位置に形成されている。ここでは、原稿読取筐体部３２を完全に閉じた状態で、ロックピン部材７２が配設されるべき位置に当該支軸側端部７６ｂが形成されている。
【００５２】
また、第２のピン移動孔７８は上記第１のピン移動孔７６の途中で分岐し、支軸部材７５から遠ざかる向きに延びる細長孔形状に形成されている。つまり、第１のピン移動孔７６及び第２のピン移動孔７８は、全体としてみると略「ｙ」字状に形成されている。この第２のピン移動孔７８の幅寸法Ｈ２は、ねじ部７２ａのねじ軸の径よりも大きく形成されており、したがって、ねじ部７２ａのねじ軸、即ち、ロックピン部材７２は第１のピン移動孔７８に沿って移動可能である。また、第２のピン移動孔７８の幅寸法Ｈ２は、第１のピン移動孔７６の幅寸法Ｈ１よりも小さく設定されている。つまり、第１のピン移動孔７６は、第２のピン移動孔７８より幅広である。これにより、ねじ部７２ａのねじ軸は、第２のピン移動孔７８よりも第１のピン移動孔７６を移動容易な構成となっている。
【００５３】
また、第２のピン移動孔７８のうち上記支軸部材７５より遠い側の端部（以下、規制端部７８ａという）は、支軸部材７５の中心軸に対して距離Ｌ２離れた位置に形成されている。この距離Ｌ２は、設定すべき第２の角度θ２やロックピン部材７２及びピン移動規制部材７４の取付位置等に応じて適宜設定される。もちろん、設定すべき第２の角度θ２は、上記第１の角度θ１よりも大きいので、距離Ｌ２は上記距離Ｌ１よりも大きくなるように設定される。そして、原稿読取筐体部３２を開こうとする際に、ロックピン部材７２が第２のピン移動孔７８に沿って移動すると、ロックピン部材７２のねじ部７２ａのねじ軸が規制端部７８ａに当接して（図４において２点鎖線で示す位置参照）、原稿読取筐体部３２の開角度が第２の角度θ２になり、原稿読取筐体部３２がそれ以上開くのを規制する。
【００５４】
なお、第２のピン移動孔７８のうち前記規制端部７８ａ近傍部分は、その手前の幅寸法Ｈ２の部分よりも幅広に形成されている。そして、ねじ部７２ａのねじ軸が規制端部７８ａに達した状態で、ねじ部７２ａのねじ軸が逆戻りし難くなるようになっている。これにより、強い力が加えられない限り、原稿読取筐体部３２を第２の角度θ２に開いた状態で、維持できるようになっている。
【００５５】
また、このピン移動規制部材７４は、ロックピン部材７２が第１のピン移動孔７６に沿って移動しつつ、原稿読取筐体部３２を開いた状態で、第２のピン移動孔７８を第１のピン移動孔７６の下側に配設した斜め姿勢とされている。そして、ピン移動規制部材７４のうち支軸部材７５より遠い側の端部は、ピン移動規制部材７４の自重により（重力により）、下方に向けて付勢されるようになっている。これにより、ロックピン部材７２のねじ部７２ａのねじ軸は、第１のピン移動孔７６内において第２のピン移動孔７８から遠い側の側部に向けて押付けられている。したがって、特別な外力を加えない限り、ロックピン部材７２は第１のピン移動孔７６に沿って移動するようになっている。
【００５６】
また、第２のピン移動孔７８はヒンジ部６０に近い側に分岐していることになるので、ピン移動規制部材７４をヒンジ部６０から遠ざかる方向に移動させることで、ロックピン部材７２が第１のピン移動孔７６から第２のピン移動孔７８に案内されるようになっている。
【００５７】
このように構成されたデジタル複合機１０における原稿読取筐体部３２の開閉動作を説明する。
【００５８】
まず、原稿読取筐体部３２を閉じた状態では、ロックピン部材７２は第１のピン移動孔７６のうち支軸側端部７６ｂの位置に配設されている（図４において実線で示す位置参照）。
【００５９】
この状態で、図示省略のロック構造のロック状態を解除して、原稿読取筐体部３２を開こうとすると、ロックピン部材７２は第１のピン移動孔７６に沿って移動する。そして、ロックピン部材７２が第１のピン移動孔７６と第２のピン移動孔７８との分岐部分を通過する際において、上記のように第１のピン移動孔７６を第２のピン移動孔７８より幅広に形成して、また、重力作用によって、第１のピン移動孔７６を移動し易いようにしているので、格別な力を加えなければ、ロックピン部材７２は続けて第１のピン移動孔７６に沿って移動する（図４において一点鎖線で示す直線参照）。そして、ロックピン部材７２のねじ部７２ａのねじ軸が第１のピン移動孔７６の規制端部７６ａに当接すると（図４において一点鎖線で示す位置参照）、原稿読取筐体部３２の開角度が第１の角度θ１になり、原稿読取筐体部３２がそれ以上開かないように規制される。
【００６０】
一方、ロックピン部材７２が第１のピン移動孔７６と第２のピン移動孔７８との分岐部分を通過する際において、ピン移動規制部材７４を支軸部材７５回りにヒンジ部６０から遠ざかる方向に引張ると、ロックピン部材７２は第２のピン移動孔７８側に案内され、当該第２のピン移動孔７８に沿って移動する（図４において二点鎖線で示す直線参照）。そして、ロックピン部材７２のねじ部７２ａのねじ軸が第２のピン移動孔７８の規制端部７８ａに当接すると（図４において二点鎖線で示す位置参照）、原稿読取筐体部３２の開角度が第２の角度θ２になり、原稿読取筐体部３２がそれ以上開かないように規制される。
【００６１】
以上のように構成されたデジタル複合機１０によると、ロックピン部材７２を第１のピン移動孔７６に沿って移動させることにより、原稿読取筐体部３２の開角度を第１の角度θ１に規制できる。また、ロックピン部材７２を第２のピン移動孔７８に沿って移動させるように経路変更することにより、原稿読取筐体部３２の開角度を第２の角度θ２に規制できる。そして、これらの開角度の変更は、ロックピン部材７２の移動経路を変更することにより行える。したがって、比較的簡易な作業で原稿読取筐体部３２の開角度を調整できる。
【００６２】
また、構成部材としては、主としてロックピン部材７２とピン移動規制部材７４とで構成できるため、構成も簡易化できる。
【００６３】
また、第１のピン移動孔に沿って移動するように、ピン移動規制部材７４が重力により付勢されているため、通常時には、原稿読取筐体部３２の開角度を比較的小さな角度に規制できる。つまり、本デジタル複合機の通常ユーザーによる紙詰り除去等の通常メンテナンス状況では、原稿読取筐体部３２の開角度を比較的小さな角度θ１に規制して、開閉操作性の変動等によるデメリットをなるべく排除するようにできる。一方、特殊なメンテナンス時等には、重力に抗してロックピン部材７２を第２のピン移動孔７８に導くように、ピン移動規制部材７４を移動させることにより、原稿読取筐体部３２の開角度を比較的大きな角度θ２に規制できる。つまり、保守員等が特別な保守作業等の特殊メンテナンス作業を行うような場合には、作業性を重視して、原稿読取筐体部３２を大きく開くことができる。
【００６４】
なお、本実施形態では、重力によってピン移動規制部材７４を付勢しているが、その他、コイルバネやねじりコイルバネ、板バネ等で、ピン移動規制部材７４を上記方向に付勢するようにしてもよい。図５に示す変形例では、ヒンジ部６０の固定片６３の端部とピン移動規制部材７４の端部との間にねじりコイルバネ８０を介在させている。そして、このねじりコイルバネ８０の一対の延出端部８０ａ，８０ｂを固定片６３及びピン移動規制部材７４にそれぞれ固定して、ピン移動規制部材７４と固定片６３との間の角度が小さくなるように付勢している。これにより、ロックピン部材７２が第１のピン移動孔７６に沿って移動するように、ピン移動規制部材７４をヒンジ部６０に近づく方向に付勢している。
【００６５】
この場合、ロックピン部材７２やピン移動規制部材７４等の取付姿勢等に拘らず上記付勢力を付与でき、上記と同様の作用効果を実現できる。
【００６６】
さらに、第１のピン移動孔７６は第２のピン移動孔７８より幅広であるため、通常時には、ロックピン部材７２は第１のピン移動孔に沿って移動し、第２のピン移動孔７８側に案内され難くなる。したがって、この点からも、通常時には、原稿読取筐体部３２の開角度を比較的小さな角度θ１に規制できるように誘導できる。
【００６７】
また、ピン移動規制部材７４をヒンジ部６０から遠ざかる方向に移動させることで、ロックピン部材７２が第１のピン移動孔７６から第２のピン移動孔７８に案内される構成であるため、誤ってピン移動規制部材７４を押してしまったような場合等でも、原稿読取筐体部３２の開角度が比較的小さな角度θ１に規制された状態を維持できる。したがって、誤操作や重力等によって、意図せずに原稿読取筐体部３２の開角度が比較的大きな角度θ２に変更されることを防止できる。
【００６８】
＜３．変形例＞
なお、本実施形態では、ロックピン部材７２を本体部としての記録部２０に設けると共に、ピン移動規制部材７４を原稿読取筐体部３２に設けた構成で説明したが、これとは逆に、ロックピン部材７２を原稿読取筐体部３２に設けると共に、ピン移動規制部材７４を本体部としての記録部２０に設けた構成であってもよい。
【００６９】
また、本実施形態では、ピン移動規制部材７４を回転自在に取付けると共に、ロックピン部材７２を固定位置に設けた例で説明したが、ロックピン部材７２を一定範囲内で移動可能に設けたり、或は、上記とは逆に、ピン移動規制部材７４を一定姿勢で固定すると共に、ロックピン部材７２を第１のピン移動孔７６及び第２のピン移動孔７８に交差する方向に移動可能に設けた構成であってもよい。
【００７０】
特に、上記のようにロックピン部材７２を移動可能に設けた構成においては、当該ロックピン部材７２を、第１のピン移動孔７６に沿って移動するように付勢するとよい。また、当該構成においては、当該ロックピン部材７２をヒンジ部６０から遠ざかる方向に移動させることで、ロックピン部材７２が第１のピン移動孔７６から第２のピン移動孔７８に案内される構成にするとよい。
【００７１】
また、ロックピン部材７２やピン移動規制部材７４は、本体部としての記録部２０や原稿読取筐体部３２に直接取付けられている必要はなく、他のブラケット等を介して固定的に又は可動に取付けられていてもよい。
【００７２】
また、第１のピン移動孔７６及び第２のピン移動孔７８は、必ずしも直線状である必要はなく、曲っていてもよい。
【００７３】
また、本実施形態ではデジタル複合機に適用した例で説明したが、装置の基台となる本体部上に、原稿読取筐体部が開閉自在に配設された諸構成、例えば、コピー装置やＦＡＸ装置等にも適用可能である。
【図面の簡単な説明】
【００７４】
【図１】実施形態に係るデジタル複合機の全体構成を示す斜視図である。
【図２】同デジタル複合機の原稿読取筐体部を開いた状態を示す斜視図である。
【図３】記録部と原稿読取筐体部との間のヒンジ部及び開度規制部材を示す斜視図である。
【図４】ピン移動規制部材を示す図である。
【図５】ピン移動規制部材を付勢する構成に係る変形例を示す図である。
【符号の説明】
【００７５】
１０  デジタル複合機
２０  記録部
３２  原稿読取筐体部
６０  ヒンジ部
７０  開度規制部材
７２  ロックピン部材
７４  ピン移動規制部材
７６  第１のピン移動孔
７６ａ  規制端部
７８  第２のピン移動孔
７８ａ  規制端部
８０  コイルバネ
Ｈ１  第１のピン移動孔の幅寸法
Ｈ２  第２のピン移動孔の幅寸法
θ１  第１の角度
θ２  第２の角度
【図１】
2008109564.tif 000003
【図２】
2008109564.tif 000004
【図３】
2008109564.tif 000005
【図４】
2008109564.tif 000006
【図５】
2008109564.tif 000007